(57)【要約】【課題】主板が容易に凹むこと及び収容空間のデッドスペースが生じることを抑制し、様々な形状の収容物に対応でき、組み立てられた状態で折目線の端部が尖ってしまうことがなく、自立した状態で展示可能な容器を提供すること。【解決手段】。主板折目線Ａを介して２つの主板２１，２２が連設され、貼着片折目線Ｂを介して主板２１に貼着片２３が連設され、主板２１の端部には、第一の円弧状の折目線Ｃ、Ｄを介して第一フラップ３が連設され、第二の円弧状の折目線Ｅ〜Ｈ，Ｊ，Ｋを介して第二フラップ５〜１０が連設されたシート１において、主板２１が主板折目線Ａで折られ、貼着片２３が貼着片折目線Ｂで折られ、貼着片２３が主板２２と接着され、主板２１，２２が外方に湾曲した筒体となり、この筒体の開口をそれぞれの折目線Ｃ〜Ｈ、Ｊ，Ｋで折られた第一フラップ３，４及び第二フラップ５〜１０が閉塞する。【選択図】  図１
2016216069.tif 000002
【特許請求の範囲】
【請求項１】
主板折目線を介して２つの主板が連設され、
主板折目線と対向する貼着片折目線を介して少なくとも一方の主板に貼着片が連設され、
折目線が延びる方向に対向する主板の端部には、主板折目線と貼着片折目線との間にある第一の円弧状の折目線を介して、少なくとも一方の主板に第一フラップが連設され、
主板折目線、貼着片折目線、又は、主板折目線若しくは貼着片折目線と対向する主板の辺と交わる第二の円弧状の折目線を介して、前記２つの主板、いずれかの主板及び貼着片、いずれかの主板、又は、貼着片に第二フラップが連設されたシートからなり、
このシートは、前記折目線が山折又は谷折の一方の折り方に統一され、他方の主板に対して一方の主板が主板折目線で折られ、一方の主板に対して貼着片が貼着片折目線で折られ、貼着片が他方の主板と接着されることで、主板が外方に湾曲した筒体となり、
この筒体の主板の折目線が延びる方向に対向する開口を第一の円弧状の折目線で折られた第一フラップ及び／又は第二の円弧状の折目線で折られた第二フラップが閉塞するようになっていることを特徴とする容器。
【請求項２】
第一フラップ又は第二フラップのうち、一方のフラップが先に折られ、他方フラップが、一方のフラップの少なくとも一部を覆う状態を維持できるようになっていることを特徴とする請求項１に記載の容器。
【請求項３】
他方のフラップは、開口を閉塞する閉塞部と、その閉塞部に延長折目線を介して連設される延長部とを有し、
この延長部は、延長折目線において前記統一された山折又は谷折で折られ、他方の主板又は両方の主板と重なるようになっており、
延長部には係合片が設けられており、
他方の主板又は両方の主板には、係合片と係合する穴が設けられていることを特徴とする請求項２の容器。
【請求項４】
他方のフラップは、開口を閉塞する閉塞部と、その閉塞部に延長折目線を介して連設される延長部とを有し、
この延長部は、延長折目線において前記統一された山折又は谷折で折られ、他方の主板又は両方の主板と重なるようになっており、
延長部は、開口において、他方の主板又は両方の主板の内面と、一方のフラップとの間に挿入できるようになっている請求項２の容器。
【請求項５】
一方のフラップは、開口において、他方の主板の内面に向かって突出する突出部を有し、
延長部と閉塞部との間の延長折目線の両端は切り込みが入っており、
開口において、他方の主板又は両方の主板の内面と一方のフラップとの間に、延長部を挿入すると、他方のフラップの切り込みに一方のフラップの突出部が入り込むようになっていることを特徴とする請求項４に記載の容器。
【請求項６】
閉塞部と延長部との間の延長折目線は、円弧状となっており、
延長折目線は、シートの状態での閉塞部において、第一の円弧状の折目線と反対方向に凸に湾曲していることを特徴とする請求項３乃至５のいずれかに記載の容器。
【発明の詳細な説明】
【技術分野】
【０００１】
本発明は、一枚のシートを折り曲げて組み立てられる容器に関する。
【背景技術】
【０００２】
従来、内部に収容物を収容可能となっているいわゆるピロー型の容器がある。このようなピロー型の容器として、特許文献１に示すものがある。
【０００３】
特許文献１のピロー型の容器は、折目線を介して２つの主板が連設され、これら各主板の長手方向の両端部にはそれぞれ円弧状の折目線を介して紡錘形のフラップが連設されるとともに、一方の主板の幅方向側の端部には中央の折目線と平行な折目線を介して貼着片を連設されたシートからなり、他方の主板に対して一方の主板が折られ、一方の主板に対して貼着片が折られ、貼着片が他方の主板の表側にある糊塗布領域に接着されることで筒状となり、その状態で向かい合うフラップ同士を重なるように折り曲げることで組み立てられる。
【先行技術文献】
【特許文献】
【０００４】
【特許文献１】特許５２５２１９２号公報
【発明の概要】
【発明が解決しようとする課題】
【０００５】
しかし、このようなピロー型の容器は、主板が押圧されると主板が容易に凹んでしまうという問題があった。ピロー型の容器において、主板同士が近づく方向の押圧に対する強度は、収容物が担うことになってしまう。加えて、このようなピロー型の容器は、折目線の近くでは主板同士の間隔が狭くなり、狭まった収容空間が生じるという問題があった。搬送中の揺れ等によって、収容物が狭まった収容空間に入ったり出たりを繰り返すこととなってしまう。そのため、例えば、割れやすいものや変形しやすいものなど、破損によって品質に影響が出る可能性がある収容物は、ピロー型の容器には収容するものとして向いていない。
【０００６】
このようなピロー型の容器は、変形しない収容物を収容すると折目線近くの狭まった収容空間がデッドスペースになってしまうという問題があった。
【０００７】
このようなピロー型の容器は、収容空間を形成する主板の最大幅の間隔を大きくした状態で維持するためには、円弧状の折目線の凹状の湾曲を大きくすること、又は、主板の折目線と折目線との間隔を広げることが考えられる。しかし、紡錘形のフラップの開閉を容易にするために、円弧状の折目線の凹状の湾曲を大きくすることに限界がある。また、主板の折目線と折目線との間隔を広げると、例えば、変形しない収容物を収容する場合に、デッドスペースがさらに大きくなってしまう。したがって、デッドスペースを抑制しようとすると、ピロー型の容器に収容できる収容物の形状が限定されてしまうという問題もある。
【０００８】
このようなピロー型の容器は、組み立てられた状態で折目線両端が尖っている。そのため、折目線の端部によって、けがをする可能性があるという問題もある。
【０００９】
このようなピロー型の容器を立てて展示しようとすると、主板以外では、平面に対して２点接触又は線接触となるので自立することが難しく、展示において主板上の表示を見やすくするには、ピロー型の容器を支える必要がある。また、複数のピロー型の容器を展示するには、複数のピロー型の容器の主板同士を接触させて積み重ねることとなる。接触する上下の主板は互いに反り返っているので、積み重ねた複数のピロー型の容器は安定性に欠け、展示する空間のデッドスペースも大きくなるという問題もある。
【００１０】
上記点より本発明は、主板が容易に凹むことを抑制し、収容空間のデッドスペースが生じることを抑制し、様々な形状の収容物に対応でき、組み立てられた状態で折目線の端部が尖ってしまうことがなく、自立した状態で展示可能な容器を提供することを目的とする。
【課題を解決するための手段】
【００１１】
上記課題を解決するため、請求項１の容器は、主板折目線を介して２つの主板が連設され、主板折目線と対向する貼着片折目線を介して少なくとも一方の主板に貼着片が連設され、主板の折目線が延びる方向に対向する端部には、主板折目線と貼着片折目線との間にある第一の円弧状の折目線を介して、少なくとも一方の主板に第一フラップが連設され、主板折目線、貼着片折目線、又は、主板折目線若しくは貼着片折目線と対向する主板の辺と交わる第二の円弧状の折目線を介して、前記２つの主板、いずれかの主板及び貼着片、いずれかの主板、又は、貼着片に第二フラップが連設されたシートからなり、このシートは、前記折目線が山折又は谷折の一方に統一され、他方の主板に対して一方の主板が主板折目線で折られ、一方の主板に対して貼着片が貼着片折目線で折られ、貼着片が他方の主板と接着されることで、主板が外方に湾曲した筒体となり、この筒体の主板の折目線が延びる方向に対向する開口を第一の円弧状の折目線で折られた第一フラップ及び／又は第二の円弧状の折目線で折られた第二フラップが閉塞するようになっている。
【００１２】
請求項１の容器によれば、第二フラップが第二の円弧状の折目線で折られていることで、主板が押圧されても、第二の円弧状の折目線の形状変化が制限される。主板が押圧されても、対向する主板折目線、貼着片折目線又は主板の辺が離間することが制限され、主板が容易に凹むことを抑制することができる。
【００１３】
また、第二フラップが第二の円弧状の折目線で折られていることで、折目線近くでも、主板同士の間隔を広く維持できることができる。そのため、収容空間のデッドスペースである狭まった収容空間が生じることを抑制できる。さらに、第二の円弧状の折目線の形状を適宜変更することで、様々な形状の収容物に対応できる。
【００１４】
さらに、主板折目線又は貼着片折目線が第二の円弧状の折目線と交わり第二フラップに延び、その第二フラップが折られる。そのため、組み立てられた状態でも、主板折目線又は貼着片折目線端部は、第二の円弧状の折目線と交差する点となり尖ってしまうことはない。
【００１５】
さらに、筒体は、第一の円弧状の折目線の両端と第二の円弧状の折目線の両端が存在し、例え、第一の円弧状の折目線の一端と第二の円弧状の折目線の一端が共通する点であっても、少なくとも３つの点で平面に接触できる。そのため、容器は自立することが可能となる。
【００１６】
請求項２の容器は、請求項１の容器において、第一フラップ又は第二フラップのうち、一方のフラップが先に折られ、他方フラップが、一方のフラップの少なくとも一部を覆う状態を維持できるようになっている。
【００１７】
請求項２の容器によれば、請求項１の容器と同様に作用する上に、他方フラップが、一方のフラップの少なくとも一部を覆う状態を維持できる。対向する主板折目線、貼着片折目線又は主板の辺を接近させる方向に容器が押圧されても、他方フラップが折られている一方のフラップの起き上がり抑制できる。そのため、主板の変形を抑制し、収容空間の形状変化を抑制することができる。
【００１８】
請求項３の容器は、請求項２の容器において、他方のフラップは、開口を閉塞する閉塞部と、その閉塞部に延長折目線を介して連設される延長部とを有し、延長折目線において前記統一された山折又は谷折で折られ、他方の主板又は両方の主板と重なるようになっており、延長部には係合片が設けられており、他方の主板又は両方の主板には、係合片と係合する穴が設けられている。
【００１９】
請求項４の容器は、請求項２の容器において、他方のフラップは、開口を閉塞する閉塞部と、その閉塞部に延長折目線を介して連設される延長部とを有し、延長折目線において前記統一された山折又は谷折で折られ、他方の主板又は両方の主板と重なるようになっており、延長部は、開口において、他方の主板又は両方の主板の内面と、一方のフラップとの間に挿入できるようになっている。
【００２０】
請求項３及び４の容器によれば、請求項２の容器と同様に作用する上に、他方のフラップの延長部が主板と係合すること、又は、延長部が開口において主板の内面と一方のフラップとの間に挿入できることによって、筒体の開口の閉塞を維持できる。さらに、他方フラップが、一方のフラップの少なくとも一部を覆う状態をより強固に維持できるので、主板が押圧されることによって、折られている一方のフラップが起き上がることをより抑制できる。また、開口付近で主板が変形しないように閉塞部が補強する役割を果たすので、収容空間の変形を抑制することができる。さらに、筒体の開口の閉塞のためにフラップを接着する必要がないので、筒体の開口の開放及び閉塞を容易に繰り返し行うことができる。
【００２１】
請求項５の容器は、請求項４の容器において、一方のフラップは、開口において、他方の主板の内面に向かって突出する突出部を有し、他方のフラップは、延長部と閉塞部との間の延長折目線の両端は切り込みが入っており、開口において、他方の主板又は両方の主板の内面と一方のフラップとの間に、延長部を挿入すると、他方のフラップの切り込みに一方のフラップの突出部が入り込むようになっている。
【００２２】
請求項５の容器によれば、請求項４の容器と同様に作用する上に、他方のフラップの切り込みに一方のフラップの突出部が入り込むことによって、他方のフラップが一旦挿入された主板の内面と一方のフラップとの間から抜けないようにロックされる。そのため、筒体の開口の閉塞を強固に維持することができる。
【００２３】
請求項６の容器は、請求項３乃至５のいずれか容器において、閉塞部と延長部との間の延長折目線は、円弧状となっており、延長折目線は、シートの状態での閉塞部において、第一の円弧状の折目線と反対方向に凸に湾曲している。
【００２４】
請求項６の容器によれば、請求項３乃至５のいずれか容器と同様に作用する上に、円弧状の折目線及び延長折目線を統一された山折又は谷折で折り曲げて組み立てたときに、閉塞部は、同一方向に凸に湾曲し、かつ、対向する円弧状の折目線を有する反った平面となる。この形状の閉塞部は変形しにくく、開口付近で主板が変形しないように閉塞部が補強する役割をより効果的に果たすので、収容空間の変形を抑制することができる。
【発明の効果】
【００２５】
請求項１乃至６の発明は、主板が容易に凹むことを抑制し、収容空間のデッドスペースが生じることを抑制し、様々な形状の収容物に対応でき、組み立てられた状態で折目線の端部が尖ってしまうことがない容器を実現することができる。
【図面の簡単な説明】
【００２６】
【図１】本発明の一実施形態の容器の展開図である。
【図２】図１の展開図を組み立てた容器の一方の主板側からの上斜視図である。
【図３】図１の展開図を組み立てた容器の他方の主板側からの上斜視図である。
【図４】図３の容器の開口を開放した状態を示す他方の主板側からの上斜視図である。
【図５】図１の展開図を組み立てた容器の他方の主板側からの下斜視図である。
【図６】図１の展開図を組み立てた容器の六面図である。
【図７】本発明の他の実施形態の容器のシートを示す展開図である。
【発明を実施するための形態】
【００２７】
本発明の一実施形態の容器１１について、図面に基づいて説明する。容器１１は、図１に示す展開図のシート１を組み立てることによって製造される。以下の説明中では、図１の展開図における上下左右を方向及び位置を表すものとして使用する。
【００２８】
シート１は、紙、樹脂シート等の折りと曲げが可能な材料からなる。シート１は、図１に示すように、主板２１，２２、貼着片２３、第一フラップ３，４、第二フラップ５，６，７，８，９，１０を有する。
【００２９】
２つの主板２１，２２は、主板折目線Ａを介して連設される。貼着片２３は、主板折目線Ａと対向する貼着片折目線Ｂを介して主板２１に連設される。本実施形態では、主板２１が特許請求の範囲の記載において一方の主板にあたり、主板２２が特許請求の範囲の記載において他方の主板にあたる。
【００３０】
主板折目線Ａが延びる方向に対向する主板２１の上の端部には、主板折目線Ａと貼着片折目線Ｂとの間にある上の第一の円弧状の折目線Ｃを介して、主板２１に上の第一フラップ３が連設される。同様に、主板２１の下の端部には、主板折目線Ａと貼着片折目線Ｂとの間にある下の第一の円弧状の折目線Ｄを介して、主板２１に下の第一フラップ４が連設される。本実施形態では、第一フラップ３，４が特許請求の範囲の記載において他方のフラップにあたる。
【００３１】
主板折目線Ａと交わる上の第二の円弧状の折目線Ｅを介して、主板２１，２２に上の第二フラップ５が連設される。主板折目線Ａと交わる下の第二の円弧状の折目線Ｆを介して、主板２１，２２に下の第二フラップ６が連設される。
【００３２】
貼着片折目線Ｂと交わる上の第二の円弧状の折目線Ｇを介して、主板２１及び貼着片２３に上の第二フラップ７が連設される。貼着片折目線Ｂと交わる下の第二の円弧状の折目線Ｈを介して、主板２１及び貼着片２３に下の第二フラップ８が連設される。
【００３３】
主板折目線Ａと対向する主板２２の辺Ｉと交わる上の第二の円弧状の折目線Ｊを介して、主板２２に第二フラップ９が連設される。主板２２の辺Ｉと交わる上の第二の円弧状の折目線Ｋを介して、主板２２に第二フラップ１０が連設される。
【００３４】
本実施形態では、第二フラップ５〜１０が特許請求の範囲の記載において一方のフラップにあたる。
【００３５】
主板２２には、組み立てたときに、後述する第一フラップ３の係合片３３が挿入される穴２４が形成されている。
【００３６】
主板折目線Ａ及び貼着片折目線Ｂは、シート１の状態では、左右方向に互いに対向しながら上下に並行して延びる直線である。主板折目線Ａは、第二フラップ５の上端及び第二フラップ６の下端まで延びている。貼着片折目線Ｂは、第二フラップ７の上端及び第二フラップ８の下端まで延びている。
【００３７】
第一の円弧状の折目線Ｃ及び第一の円弧状の折目線Ｄは、上下方向に互いに対向する。シート１の状態では、第一の円弧状の折目線Ｃは下に凸に湾曲し、第一の円弧状の折目線Ｄは上に凸に湾曲する。
【００３８】
上の第二の円弧状の折目線Ｅ及び下の第二の円弧状の折目線Ｆ、上の第二の円弧状の折目線Ｇ及び下の第二の円弧状の折目線Ｈ、並びに、上の第二の円弧状の折目線Ｊ及び下の第二の円弧状の折目線Ｋは、上下方向に互いに対向する。シート１の状態では上の第二の円弧状の折目線Ｅ、Ｇ，Ｊは下に凸に湾曲する。シート１の状態では下の第二の円弧状の折目線Ｆ，Ｈ，Ｋは、上に凸に湾曲する。
【００３９】
折目線ＡからＨ、Ｊ及びＫは、容器１１を組み立てる際に、山折又は谷折の一方に統一された折り方で折られる。
【００４０】
上の第一フラップ３は、特許請求の範囲の記載において他方のフラップにあたる。上の第一フラップ３は、開口を閉塞する閉塞部３１と、その閉塞部３１に延長折目線Ｌを介して連設される延長部３２とを有する。延長部３２は、延長折目線Ｌにおいて前述の統一された折り方で折られ、主板２２と重なるようになっている。
【００４１】
閉塞部３１と延長部３２との間の延長折目線Ｌは、円弧状となっている。第一の円弧状の折目線Ｃ及び延長折目線Ｌは、上下方向に互いに対向する。延長折目線Ｌは、シート１の状態での閉塞部３１において、第一の円弧状の折目線Ｃの円弧と反対方向に凸に湾曲しており、前述のように第一の円弧状の折目線Ｃは下に凸に湾曲しているので、延長折目線Ｌは上に凸に湾曲する。
【００４２】
延長部３２には、円弧状の切り込みＭとその切り込みＭの両端を通る直線状の折目線Ｎが形成されている。切り込みＭと折目線Ｎで囲まれた弓型の部分が係合片３３である。折目線Ｎは、前述の統一された折り方と反対の折り方で折られている。
【００４３】
折目線Ｎをこのように折ることによって、図４の状態から、延長部３２が主板２２と重なるように延長折目線Ｌで折り曲げられた場合に、係合片３３が組み立てられた容器１１の収容空間に向かって突出可能となる。そのため、係合片３３を主板２２の穴２４に挿入しやすくなる。さらに、図６の左右側面図に示すように、延長部３２の折目線Ｎより先端側の先端部分３４が組み立てられた容器１１の外側に向かって浮き上がることで、使用者が開口を開放及び閉塞する際に、先端部分３４を容易に摘まむことができるようになっている。
【００４４】
下の第一フラップ４は、特許請求の範囲の記載において他方のフラップにあたる。下の第一フラップ４は、開口を閉塞する閉塞部４１と、その閉塞部４１に延長折目線Ｏを介して連設される延長部４２とを有する。延長部４２は、延長折目線Ｏにおいて前述の統一された折り方で折られ、主板２２と重なるようになっている。延長部４２は、組み立てられた容器１１の開口において、主板２２の内面と、第二フラップ６及び１０との間に挿入できるようになっている。
【００４５】
閉塞部４１と延長部４２との間の延長折目線Ｏは、円弧状となっている。第一の円弧状の折目線Ｄ及び延長折目線Ｏは、上下方向に互いに対向する。延長折目線Ｏはシート１の状態での閉塞部４１において、第一の円弧状の折目線Ｄの円弧と反対方向に凸に湾曲しており、前述のように第一の円弧状の折目線Ｄは上に凸に湾曲しているので、延長折目線Ｏは下に凸に湾曲する。
【００４６】
閉塞部４１と延長部４２との間の延長折目線Ｏの両端は切り込み４３，４３が入っている。
【００４７】
一方のフラップにあたる第二フラップ５から１０のうち、主板２２の内面との間に第一フラップ４の延長部４２が挿入される第二フラップ６及び１０は、それぞれ組み立てられた容器の開口において、主板２２の内面に向かって突出する突出部６１，１０１を有する。
【００４８】
このシート１は、容器１１を組み立てる際に、主板折目線ＡからＨ、Ｊ及びＫが山折又は谷折の一方の折り方に統一される。図１において、主板２２に対して主板２１が主板折目線Ａで谷折で折られ、主板２１に対して貼着片２３が貼着片折目線Ｂで谷折で折られ、貼着片２３の表面に接着剤を塗布し、その面が主板２２と接着されることで、主板２１，２２が外方に湾曲した筒体となる。この筒体は、主板折目線Ａが延びる方向である図１の上下方向に対向する開口を有する。
【００４９】
接着剤は、第二フラップ７及び８の表面にも塗布されていてもよい。第二フラップ７は第二フラップ９と接着され、第二フラップ７及び第二フラップ９が一体となった状態で折られることとなる。また、第二フラップ８は第二フラップ１０と接着され一体となった状態で折られることとなる。
【００５０】
上の開口は、第一の円弧状の折目線Ｃで折られた第一フラップ３及び第二の円弧状の折目線Ｅ，Ｇ及びＪで折られた第二フラップ５，７，９が閉塞するようになっている。同様に、下の開口は、第一の円弧状の折目線Ｄで折られた第一フラップ４及び第二の円弧状の折目線Ｆ，Ｈ及びＫで折られた第二フラップ６，８，１０が閉塞するようになっている。
【００５１】
上の開口の閉塞において、一方のフラップである第二フラップ５，７，９が先に折られ、他方フラップである第一フラップ３が、第二フラップ５，７，９の少なくとも一部を覆う状態を維持できるようになっている。下の上の開口の閉塞においても、一方のフラップである第二フラップ６，８，１０が先に折られ、他方フラップである第一フラップ４が、第二フラップ６，８，１０の少なくとも一部を覆う状態を維持できるようになっている。
【００５２】
図３に示すように、延長部３２の係合片３３が、主板２２の係合穴２４に挿入することで、延長部３２が主板２２と係合し、第一フラップ３が上の開口の閉塞が維持できるようになっている。図４に示すように、係合片３３が、主板２２の係合穴２４から抜くことで、延長部３２と主板２２との係合が解除され、上の開口が開放できるようになっている。
【００５３】
図１を参照しつつ、図５に示すように、下の開口において、主板２２と第二フラップ６，１０との間に、延長部４２を挿入すると、第一フラップ４の切り込み４３，４３に、それぞれ第二フラップ６，１０の突出部６１，１０１が入り込むようになっている。これにより、延長部４２が主板２２と第二フラップ６，１０との間から抜けにくくなり、第二フラップ４が下の開口の閉塞が維持できるようになっている。
【００５４】
図２及び３に示すように、シート１を組み立てた容器１１において、第一の円弧状の折目線Ｃ、Ｄ並びに第二の円弧状の折目線Ｅ〜Ｈ，Ｊ，Ｋによって、主板２１，２２は容器の外側に向かって凸に湾曲した面となる。第一フラップ３の閉塞部３１及び第一フラップ４の閉塞部４の閉塞部４１は、第一の円弧状の折目線Ｃ、Ｄ及び延長折目線Ｌ、Ｏによって、それぞれ容器の内側に向かって凹に湾曲した面となる。
【００５５】
湾曲した面である第一フラップ３の閉塞部３１及び第一フラップ４の閉塞部４の閉塞部４１は、主板２１及び２２の間隔を狭める方向の主板２１，２２の押圧に対して抵抗となる。また、湾曲した第二の円弧状の折目線Ｅ〜Ｈ，Ｊ，Ｋも主板２１及び２２の間隔を狭める方向の主板２１，２２の押圧に対して抵抗となる。
【００５６】
主板折目線Ａ及び貼着片折目線Ｂの間隔を狭める方向に押圧されると、第二フラップ５〜１０の先端が容器の外側に向かって立ち上がろうとする力が生じる。しかし、第二フラップ５〜１０の一部は第一フラップ３，４に覆われていることは、第二フラップ５〜１０は立ち上がることを制限し、結果的に主板折目線Ａ及び貼着片折目線Ｂの間隔を狭める方向に押圧に対して抵抗となる。
【００５７】
さらに、図６に示すように、第一の円弧状の折目線Ｃ、Ｄ並びに第二の円弧状の折目線Ｅ〜Ｈ，Ｊ，Ｋによって、主板２１，２２は湾曲した面でありながら、主板２１，２２から構成される筒体の横断面は矩形に近い形状となる。そのため、筒体の軸線方向の圧縮に対して抵抗となる。
【００５８】
上記実施形態では、貼着片折目線を介して一方の主板に貼着片が連設されている場合について、説明したがこれに限定されることなく、他方の主板、又は、両方の主板に貼着片が連設されていてもよい。
【００５９】
上記実施形態では、第一のフラップ及び第二のフラップで開口を閉塞する場合について説明したが、これに限定されることなく、例えば、どちらか一方のフラップで開口を閉塞してもよい。
【００６０】
上記実施形態では、第一の円弧状の折目線を介して第一フラップが連設され、第二の円弧状の折目線を介して第二フラップが連設される場合について説明したが、これに限定されることなく、第一の円弧状の折目線を介して第二フラップの役割を果たすフラップが連設され、第二の円弧状の折目線を介して第一フラップの役割を果たすフラップが連設されてもよい。この場合、第一フラップの役割を果たすフラップの係合片と係合する穴は、両方の主板に跨って形成されてもよい。
【００６１】
上記実施形態では、図１の展開図の場合について、説明したが、これに限定されることなく、例えば、図７に示す各展開図を組み立てた容器であってもよい。
【００６２】
上記実施形態では、開口の閉塞において、第一フラップの延長部の係合片を利用する場合や、主板と第二フラップとの間に第一フラップの延長部を挿入する場合について説明したが、これに限定されることなく、第一フラップを主板に接着し、閉塞部にミシン目、ジッパー等の開封手段が設けられていてもよい。また、主板にミシン目、ジッパー等の開封手段がもうけられていてもよい。
【００６３】
上記実施形態では、図６の底面図において、容器の筒部の横断面の面積が上から下に向かうに従って漸次減少しているが、これに限定されることなく、例えば、容器の筒部の横断面の面積が変化しない、又は、容器の筒部の横断面の面積が上から下に向かうにしたがって漸次増加する等の変化があり、それを実現するために、主板、貼着片、各フラップの形状を適宜変更してもよい。
【符号の説明】
【００６４】
Ａ〜Ｌ，Ｎ，Ｏ  折目線
Ｍ              切り込み
１              シート
３，４          第一フラップ
５〜１０        第二フラップ
１１            容器
２１，２２      主板
２３            貼着片
２４            穴
３１            閉塞部
３２            延長部
３３            係合片
３４            先端部分
４１            閉塞部
４２            延長部
３１            閉塞部
４３            切り込み
６１            突出部
１０１          突出部
【図１】
2016216069.tif 000003
【図２】
2016216069.tif 000004
【図３】
2016216069.tif 000005
【図４】
2016216069.tif 000006
【図５】
2016216069.tif 000007
【図６】
2016216069.tif 000008
【図７】
2016216069.tif 000009